(57)【要約】      （修正有）【課題】輸送体の客室内荷物箱に最大重量閾値を超える荷物が搭載されるのを防止するシステムを提供する。【解決手段】輸送体の内部客室内にある荷物箱アセンブリ５０２は、荷物箱アセンブリの重量を検出するように構成された、重量センサ５３２を含み、検出された重量が最大重量閾値を超える場合には、荷物箱制御ユニット５０８は警報を出力する。【選択図】図１０
2018188131.tif 000002
【特許請求の範囲】
【請求項１】
輸送体の内部客室内の荷物箱アセンブリ（５０２）であって、
前記荷物箱アセンブリ（５０２）の重量を検出するように構成された重量センサを備える、荷物箱アセンブリ（５０２）。
【請求項２】
前記重量センサが、電子スケールを備える、請求項１に記載の荷物箱アセンブリ（５０２）。
【請求項３】
前記重量センサと通信する、荷物箱制御ユニット（５０８）を更に備える、請求項１又は２に記載の荷物箱アセンブリ（５０２）。
【請求項４】
前記荷物箱制御ユニット（５０８）が、前記重量センサによって出力された１以上の信号をモニタするように構成されている、請求項３に記載の荷物箱アセンブリ（５０２）。
【請求項５】
前記荷物箱制御ユニット（５０８）が、前記１以上の信号をメモリ内に記憶された１以上の重量閾値と比較するように構成されている、請求項４に記載の荷物箱アセンブリ（５０２）。
【請求項６】
前記荷物箱アセンブリ（５０２）の重量が、前記重量センサによって検出された際に、最大重量閾値を超えるときに、前記荷物箱制御ユニット（５０８）が、警報を出力するように構成されている、請求項３から５のいずれか一項に記載の荷物箱アセンブリ（５０２）。
【請求項７】
前記荷物箱アセンブリ（５０２）の重量が、最大重量閾値の所定範囲内にあることに応じて、前記荷物箱制御ユニット（５０８）が、前記荷物箱アセンブリ（５０２）を自動的に閉じるように構成されている、請求項３から６のいずれか一項に記載の荷物箱アセンブリ（５０２）。
【請求項８】
前記荷物箱アセンブリ（５０２）が閉じた後で、前記荷物箱制御ユニット（５０８）が、前記荷物箱アセンブリ（５０２）のラッチ（３５０）をロックされた位置へ操作するように構成されている、請求項７に記載の荷物箱アセンブリ（５０２）。
【請求項９】
前方端パネルと後方端パネルに連結された前パネルを有するバケットを更に備え、荷物保持室が、少なくとも部分的に、前記前パネル、前記前方端パネル、及び前記後方端パネルの間で画定されている、請求項１から８のいずれか一項に記載の荷物箱アセンブリ（５０２）。
【請求項１０】
前記前パネルが、湾曲した外面を有するアーチ形パネルを備える、請求項９に記載の荷物箱アセンブリ（５０２）。
【請求項１１】
輸送体の内部客室内で荷物箱アセンブリ（５０２）を操作する方法であって、
前記荷物箱アセンブリ（５０２）の重量センサを使用して、前記荷物箱アセンブリ（５０２）の重量を検出することを含む、方法。
【請求項１２】
荷物箱制御ユニット（５０８）を前記重量センサと通信可能に接続することを更に含む、請求項１１に記載の方法。
【請求項１３】
前記荷物箱制御ユニット（５０８）によって、前記重量センサによって出力された１以上の信号をモニタすることを更に含む、請求項１２に記載の方法。
【請求項１４】
前記荷物箱制御ユニット（５０８）によって、前記１以上の信号をメモリ内に記憶された１以上の重量閾値と比較することを更に含む、請求項１３に記載の方法。
【請求項１５】
前記荷物箱アセンブリ（５０２）の重量が、前記重量センサによって検出された際に、最大重量閾値を超えるときに、前記荷物箱制御ユニット（５０８）によって、警報を出力することを更に含む、請求項１３又は１４に記載の方法。
【請求項１６】
前記荷物箱アセンブリ（５０２）の重量が、最大重量閾値の所定範囲内にあることに応じて、前記荷物箱制御ユニット（５０８）を使用して、前記荷物箱アセンブリ（５０２）を自動的に閉じることを更に含む、請求項１３から１５のいずれか一項に記載の方法。
【請求項１７】
前記荷物箱アセンブリ（５０２）が閉じた後で、前記荷物箱制御ユニット（５０８）を使用して、前記荷物箱アセンブリ（５０２）のラッチ（３５０）をロックされた位置へ操作することを更に含む、請求項１６に記載の方法。
【請求項１８】
内部客室、並びに
前記内部客室内に複数の荷物箱アセンブリ（５０２）を備える、輸送体であって、前記複数の荷物箱アセンブリ（５０２）のうちの少なくとも１つが、
前記複数の荷物箱アセンブリ（５０２）のうちの前記少なくとも１つの重量を検出するように構成された、重量センサ、及び
前記重量センサと通信する、荷物箱制御ユニット（５０８）であって、前記重量センサによって出力された１以上の信号をモニタするように構成され、前記１以上の信号をメモリ内に記憶された１以上の重量閾値と比較するように構成された、荷物箱制御ユニット（５０８）を備える、輸送体。
【請求項１９】
前記複数の荷物箱アセンブリ（５０２）のうちの前記少なくとも１つの重量が、前記重量センサによって検出された際に、最大重量閾値を超えるときに、前記荷物箱制御ユニット（５０８）が、警報を出力するように構成されている、請求項１８に記載の輸送体。
【請求項２０】
前記複数の荷物箱アセンブリ（５０２）のうちの前記少なくとも１つが、最大重量閾値の所定範囲内にあることに応じて、前記荷物箱制御ユニット（５０８）が、前記複数の荷物箱アセンブリ（５０２）のうちの前記少なくとも１つを自動的に閉じるように構成され、前記複数の荷物箱アセンブリ（５０２）のうちの前記少なくとも１つが閉じた後で、前記荷物箱制御ユニット（５０８）が、前記複数の荷物箱アセンブリ（５０２）のうちの前記少なくとも１つのラッチ（３５０）をロックされた位置へ操作するように構成されている、請求項１８又は１９に記載の輸送体。
【発明の詳細な説明】
【技術分野】
【０００１】
本開示は、広くは、民間航空機などの輸送体内の内部客室に関し、特に、輸送体の内部客室内の電子荷物箱制御システム及び方法に関する。
【背景技術】
【０００２】
民間航空機は、通常、多数の区域に分割され得る内部客室を含む。操縦室は、概して、ファーストクラス区域、ビジネスクラス区域、及びエコノミークラス区域を含み得る客室から分離されている。客室は、飲食物保管構造を有し得る調理室などの、１以上の飛行乗務員用作業エリアも含み得る。１以上の通路が客室を通っており、各乗客区域を、航空機の１以上のドアに通ずる１以上の経路につなげている。
【０００３】
頭上荷物箱は、通常、民間航空機内の座席の列の上方に配置されている。各頭上荷物箱は、開いた位置と閉じた位置との間で移動するように構成されている。開いた位置では、乗客が、可動な箱又はバケット内に持ち込み手荷物を配置し得る。航空機がターミナルを離れる前に、客室乗務員は、各荷物箱がしっかりと閉じていることを確実にする。
【０００４】
荷物箱を開くために、（乗客又は客室乗務員などの）個人は、荷物箱のラッチに物理的に接触する。例えば、荷物箱を開いた位置へ操作するために、個人は先ずラッチを握って引っ張る。理解され得るように、荷物箱のラッチは、多くの個人によって多数回にわたり接触される。結局、ラッチが定期的に洗浄されなければ、ラッチ上に様々なばい菌やバクテリアが存在することとなり得る。更に、特定の個人とっては、ラッチを握り操作することが困難な場合がある。
【０００５】
更に、飛行中に、客室乗務員が乗客の荷物箱を開ける行為を妨げることは、通常、不可能である。（離陸、着陸、又は乱気流などの間に）乗客が自分の座席にバックルで確実に留められているべきときであっても、しばしば、乗客は立ち上がり荷物箱を開ける可能性がある。これは、危険な状況をもたらし得る。例えば、乱気流の期間に、開いた荷物箱内の内容物が、通路又は乗客の上にさえ落ちる場合がある。
【発明の概要】
【０００６】
個人によって接触されることなしに開けたり閉じたりすることが可能な荷物箱アセンブリが必要である。飛行乗務員によって制御され得る荷物箱アセンブリが必要である。離陸、着陸、及び乱気流の間などの、飛行中の限定された期間において、乗客が荷物箱アセンブリを開けることを妨げるシステム及び方法が必要である。
【０００７】
それらの必要性を考えた上で、本開示の特定の実施形態は、輸送体のための荷物箱制御システムを提供する。該荷物箱制御システムは、開いた位置と閉じた位置との間で選択的に移動するように構成された、少なくとも１つの荷物箱アセンブリを含む。マスター制御デバイスが、荷物箱アセンブリから分離され区別される。マスター制御デバイスは、無線接続を通じて荷物箱アセンブリと通信可能に接続され、荷物箱アセンブリを操作するように構成されている。
【０００８】
少なくとも１つの実施形態では、マスター制御デバイスが、荷物箱アセンブリを開いた位置と閉じた位置との間で自動的に移動させるように構成されている。各荷物箱アセンブリは、荷物箱アセンブリを選択的にロックしロック解除するように構成された、ラッチを含む。マスター制御デバイスは、ラッチを自動的にロックしロック解除するように構成されている。ラッチは、１以上のラッチング機構と動作可能に接続されている。
【０００９】
少なくとも１つの実施形態では、マスター制御デバイスが、荷物箱アセンブリと通信するマスター荷物箱制御ユニットを含む。荷物箱アセンブリのうちの１以上は、マスター荷物箱制御ユニットと通信する荷物箱制御ユニットを含み得る。マスター制御デバイスは、個人がコマンドを入力することを可能にするように構成された、ユーザインターフェースを含み得る。
【００１０】
少なくとも１つの実施形態では、複数の荷物箱アセンブリが、マスター制御デバイスと通信可能に接続されている。マスター制御デバイスは、複数の荷物箱アセンブリを同時に開けたり又は閉じたりし得る。マスター制御デバイスは、複数の荷物箱アセンブリを交互方式で開けたり又は閉じたりし得る。マスター制御デバイスは、荷物箱アセンブリを開けること又は閉じることを、照明効果、音響、グラフィックス、及び／又は動画と同期させ得る。少なくとも１つの実施形態では、荷物箱アセンブリから１以上のエラー信号を受信したことに応じて、ユーザが荷物箱アセンブリを手動で開けたり閉じたりすることができる手動オーバーライドモードへ、荷物箱アセンブリを移行させるように、マスター制御デバイスが構成されている。
【００１１】
荷物箱アセンブリは、レポート信号をマスター制御デバイスへ出力するように構成され得る。レポート信号は、動作上の健全性又は状態に関するデータを含む。
【００１２】
荷物箱アセンブリは、検出範囲内の物体の存在を検出するように構成された、近接センサを含み得る。近接センサは、荷物箱アセンブリの外面に取り付けられ得る。近接センサは、荷物箱アセンブリをロックされた状態とロック解除された状態との間で選択的にスイッチするように構成され得る。
【００１３】
荷物箱アセンブリは、１以上の外側発光要素を含み得る。外側発光要素は、荷物箱アセンブリの現在の状態を示す光を放射するように構成されている。（１以上）の外側発光要素は、荷物箱アセンブリのラッチに近接していてもよい。
【００１４】
荷物箱アセンブリは、検出範囲内の運動を検出するように構成された、運動センサを含み得る。運動センサは、荷物箱アセンブリのラッチに近接していてもよい。運動センサは、個人が荷物箱アセンブリに接触することなしに荷物箱アセンブリを自動的に開けたり又は閉じたりすることに関与するように構成され得る。
【００１５】
荷物箱アセンブリは、１以上の内側発光要素を含み得る。（１以上の）内側発光要素は、荷物箱アセンブリの荷物保持室内に配置されてもよい。（１以上の）内側発光要素は、荷物箱アセンブリの荷物保持室を照らすように構成され得る。（１以上の）内側発光要素は、荷物箱アセンブリが開いた位置にあるときに荷物保持室を照らすように構成され、荷物箱アセンブリが閉じた位置にあるときに起動解除され得る。少なくとも１つの実施形態では、（１以上の）内側発光要素が、荷物箱が開くに従って徐々に強度を増す光を放射し、荷物箱が閉じるに従って徐々に減衰する光を放射する。
【００１６】
荷物箱アセンブリは、荷物箱アセンブリの位置を検出するように構成された、箱位置センサを含み得る。
【００１７】
荷物箱アセンブリは、荷物箱アセンブリの重量を検出するように構成された、重量センサを含み得る。
【００１８】
荷物箱アセンブリは、荷物箱アセンブリをロックし、ロック解除し、閉じ、且つ／又は開くために、接触されるように構成された、少なくとも１つのタッチセンサを含み得る。
【００１９】
少なくとも１つの実施形態では、荷物箱アセンブリが、前方端パネルと後方端パネルに連結された前パネルを有するバケットを含む。前パネル、前方端パネル、及び後方端パネルの間で、少なくとも部分的に、荷物保持室が画定される。前パネルは、湾曲した外面を有するアーチ形パネルを含み得る。
【００２０】
本開示の特定の実施形態は、内部客室と荷物箱制御システムを含む輸送体を提供する。荷物箱制御システムは、内部客室内に少なくとも１つの荷物箱アセンブリを含む。荷物箱アセンブリは、開いた位置と閉じた位置との間で選択的に移動するように構成されている。マスター制御デバイスが、荷物箱アセンブリから分離され区別される。マスター制御デバイスは、荷物箱アセンブリと無線通信可能に接続され、荷物箱アセンブリを操作するように構成されている。
【００２１】
本開示の特定の実施形態は、輸送体のための荷物箱制御方法を提供する。荷物箱制御方法は、輸送体内でマスター制御デバイスを少なくとも１つの荷物箱アセンブリと無線通信可能に接続すること、及びマスター制御デバイスを使用して荷物箱アセンブリを操作することを含む。
【００２２】
本開示の特定の実施形態は、輸送体のための荷物箱アセンブリを提供する。荷物箱アセンブリは、荷物箱アセンブリを選択的にロックしロック解除するように構成された、ラッチを含む。荷物箱アセンブリは、物体の存在を検出するように構成された近接センサ、検出範囲内の運動を検出するように構成された運動センサ、又は荷物箱アセンブリをロックし、ロック解除し、閉じ、且つ／若しくは開くために接触されるように構成された少なくとも１つのタッチセンサ、のうちの１以上も含む。
【００２３】
荷物箱アセンブリは、１以上の外側発光要素も含み得る。外側発光要素は、荷物箱アセンブリの現在の状態を示す光を放射するように構成されている。
【００２４】
荷物箱アセンブリは、荷物箱アセンブリの荷物保持室を照らすように構成された１以上の内側発光要素、荷物箱アセンブリの位置を検出するように構成された箱位置センサ、及び／又は荷物箱アセンブリの重量を検出するように構成された重量センサも含み得る。
【００２５】
本開示の特定の実施形態は、荷物箱アセンブリを選択的にロックしロック解除するように構成されたラッチ、及びラッチと通信可能なセンサを含む、荷物箱アセンブリを提供する。該センサは、ラッチ又はセンサが接触されることなしに荷物箱アセンブリをロックし、ロック解除し、開け、且つ／又は閉じることに関与するように構成されている。
【００２６】
少なくとも１つの実施形態では、センサが、検出範囲内の物体の存在を検出するように構成された、近接センサを含む。少なくとも１つの実施形態では、センサが、検出範囲内の運動を検出するように構成された、運動センサを含む。
【００２７】
本開示の特定の実施形態は、荷物箱アセンブリを操作する方法を提供する。該方法は、荷物箱アセンブリを選択的にロックしロック解除するように構成されたラッチをセンサと通信可能に接続すること、及びラッチ又はセンサが接触されることなしに荷物箱アセンブリをロックし、ロック解除し、開け、又は閉じることのうちの１以上にセンサを関与させることを含む。
【００２８】
本開示の特定の実施形態は、荷物箱アセンブリの荷物保持室を照らすように構成された１以上の内側発光要素を含む、荷物箱アセンブリを提供する。内側発光要素は、荷物箱アセンブリの荷物保持室内に配置され得る。
【００２９】
少なくとも１つの実施形態では、内側発光要素が、荷物箱アセンブリが開いた位置にあるときに荷物保持室を照らすように構成され、１以上の内側発光要素が、荷物箱アセンブリが閉じた位置にあるときに起動解除される。内側発光要素は、荷物箱アセンブリが開くに従って徐々に強度を増す光を放射し、荷物箱が閉じるに従って徐々に減衰する光を放射し得る。
【００３０】
本開示の特定の実施形態は、荷物箱アセンブリを操作する方法を提供する。該方法は、１以上の内側発光要素を用いて、荷物箱アセンブリの荷物保持室を照らすことを含む。
【００３１】
本開示の特定の実施形態は、荷物箱アセンブリの重量を検出するように構成された重量センサを含む、荷物箱アセンブリを提供する。
【００３２】
本開示の特定の実施形態は、荷物箱アセンブリの重量センサを使用して荷物箱アセンブリの重量を検出することを含む、荷物箱アセンブリを操作する方法を提供する。
【図面の簡単な説明】
【００３３】
【図１】本開示の一実施形態による、航空機の前面斜視図を示す。
【図２Ａ】本開示の一実施形態による、航空機の内部客室の上面図を示す。
【図２Ｂ】本開示の一実施形態による、航空機の内部客室の上面図を示す。
【図３】本開示の一実施形態による、航空機の内部客室の内部斜視図を示す。
【図４】本開示の一実施形態による、内部客室内の閉じた位置にある荷物箱アセンブリの前面斜視図を示す。
【図５】本開示の一実施形態による、内部客室内の開いた位置にある荷物箱アセンブリの前面斜視図を示す。
【図６】本開示の一実施形態による、輸送体の内部客室内の座席の列の側面斜視図を示す。
【図７】本開示の一実施形態による、荷物箱アセンブリのラッチの前面図を示す。
【図８】本開示の一実施形態による、荷物箱アセンブリのラッチング機構を示す。
【図９】本開示の一実施形態による、荷物箱制御システムのブロック図を示す。
【図１０】本開示の一実施形態による、荷物箱アセンブリのブロック図を示す。
【図１１】本開示の一実施形態による、ラッチの前面図を示す。
【図１２】本開示の一実施形態による、ラッチに接続された荷物箱制御ユニットの回路図を示す。
【図１３】本開示の一実施形態による、荷物箱制御方法のフローチャートを示す。
【発明を実施するための形態】
【００３４】
上記の概要、及び幾つかの実施形態の下記の詳細説明は、添付の図面を参照して読むことにより、より深く理解される。本明細書で使用される「一（a）」又は「１つの（an）」に続く単数形の要素又はステップは、複数の当該要素又はステップを必ずしも除外しないと理解されたい。更に、「一実施形態」への言及は、本明細書に記載の特徴を組み込む追加の実施形態の存在を除外すると解釈すべきでない。また、反対に明示的に記述されない限り、特定の性質を有する１以上の要素を「備える」、「含む」、又は「有する」実施形態は、その性質を有しない追加の要素を含み得る。
【００３５】
本開示の特定の実施形態は、触れることなしに起動される荷物箱アセンブリを提供する。荷物箱アセンブリは、個人が物理的にそれらに接触することなしに、開いた位置と閉じた位置との間で選択的に移動し得る。更に、荷物箱アセンブリは、１以上の荷物箱制御ユニットによって制御され得る。荷物箱制御ユニットは、（パイロット又は客室乗務員などの）航空機の乗務員によって操作され、（離陸、着陸、乱気流の間などの）限定された期間中に、乗客が荷物箱アセンブリを開くことを妨げ得る。
【００３６】
少なくとも１つの実施形態では、荷物箱アセンブリが、自動的にロックされたり開かれたりするように構成された電子ラッチを含む。少なくとも１つの実施形態では、ラッチが、（センサから３又は４インチの範囲内などの）予め規定された検出範囲内の手の運動を検出するように構成された（近接又は運動センサなどの）センサを含む。このやり方では、個人が（６インチ以下の範囲内などの）ラッチの近くの範囲内で手を動かすと、ラッチに物理的に接触することなしにラッチを動作可能に係合させることができる。個人がラッチの前で自分の手を単に振るだけで、荷物箱アセンブリを自動的に開くことができる。
【００３７】
（１以上の有線又は無線接続を通じるなどして）荷物箱アセンブリのラッチと通信する荷物箱制御ユニットは、ラッチをロックするために、ラッチが開いた状態にスイッチすることを妨げるために使用され得る。このやり方では、航空機の乗務員が、ラッチをロックして、乗客が荷物箱アセンブリを開けることを妨げることができる。荷物箱制御ユニットは、調理室又は操縦室内のワークステーション又は制御パネル内などの航空機に搭載されたコンピュータ内にあってもよい。少なくとも１つの他の実施形態では、荷物箱制御ユニットが、手で扱うスマートデバイス又は携帯電話などの、手で扱うデバイス内にあってもよい。
【００３８】
少なくとも１つの実施形態では、飛行乗務員が、ラッチの前でバッジをスワイプすると、ラッチがロックされた状態に設定され得る。ラッチは、ラッチがロックされているか否かを示す、１以上の（発光ダイオード‐ＬＥＤなどの）発光要素を含み得る。例えば、ロックされた状態では、発光要素が赤い光を放射し得る。ロック解除された状態では、発光要素が緑の光を放射し得る。
【００３９】
本開示の特定の実施形態は、無線で制御可能な電子荷物箱システムを提供する。荷物箱システムは、ドアに連結されたラッチング機構、電動ラッチを制御するための荷物箱アセンブリ上の又はその近傍にある電動ボタン、及び箱の運動の範囲内の少なくとも一部分を通してその箱を操作するために必要な力を少なくとも補助するための電気駆動システム、を有する荷物箱アセンブリを含む。少なくとも１つの実施形態では、航空機の乗務員が、制御パネル、又は、手で扱う制御デバイス、電子タブレット、携帯電話、又は他のそのようなスマートデバイスなどの、携帯型電子デバイス（ＰＥＤ）から、荷物箱アセンブリのうちの１つ又は全部を制御することができる。乗客も、自分らのＰＥＤから頭上荷物箱アセンブリを限定された条件で制御し得る。
【００４０】
本開示の特定の実施形態は、複数の無線で制御される特徴を含む頭上荷物箱システムを提供する。頭上荷物箱システムは、複数の荷物箱アセンブリを含む。荷物箱アセンブリのうちの１以上は、電動ラッチ、電動アクチュエータ、及び電動近位制御部（electronic proximal control）を含む。電子制御デバイスが、荷物箱アセンブリの無線制御される特徴を制御するために使用され得る。
【００４１】
荷物箱システムの様々な構成要素の無線接続は、軽量且つ嵩張らない荷物箱アセンブリを提供する。すなわち、複数のワイヤーを荷物箱アセンブリ内で経路指定することは、空間を必要とし、重量も追加し得る。
【００４２】
少なくとも１つの実施形態では、荷物箱アセンブリのうちの１以上が、（１以上のＬＥＤなどの）電子光源を含む。光源は、荷物箱アセンブリの閉じたエリア内にあり得る。光源は、箱のそれぞれの開閉運動と同期して、光を徐々に照らし又は徐々に減衰させるように構成され得る。荷物箱アセンブリは、航空機に対する箱の回転位置などの瞬間的な位置を決定するためのセンサも含み得る。
【００４３】
システムは、箱の演出された開／閉、及び移動（trip）の特定の部分の間の箱の自動的ロッキングを含んで、特徴の全部又は一部に対する予めプログラムされた制御シーケンスを含み得る。予めプログラムされた制御シーケンスの少なくとも一部は、米国連邦航空局（ＦＡＡ）によって公布された安全性及びセキュリティ要件の遵守を保証する。
【００４４】
少なくとも１つの実施形態では、デフォルトで、ユーザが物理的に箱を操作することによって箱を手動で開閉することができる手動オーバーライドモードに設定される。
【００４５】
少なくとも１つの実施形態では、荷物箱アセンブリがプログラム可能である（例えば、様々な時にラッチがロック又はロック解除されるようにプログラムされ得る）。一実施例として、荷物箱アセンブリが、波のような動作で、客室の照明、音響スキームなどと同期して開閉するようにプログラムされてもよい。
【００４６】
近接制御ボタンが、光を放射する静電容量接触面であってもよい。少なくとも１つの他の実施形態では、近接制御ボタンが、例えば、手を振ることによって起動されるような近接又は運動センサを含み得る。少なくとも１つの他の実施形態では、近接制御ボタンが、音声制御のために構成され得る。
【００４７】
各荷物箱アセンブリは、箱の容量の状態、保守の必要性、積み込み及び積み出し手順をスピードアップし得る利用データなどの、動作上の健全性及び／又は状態を示すために、マスター制御ユニットに情報を報告するように構成され得る。
【００４８】
少なくとも１つの実施形態では、システムの少なくとも一部が、電源タップ及び／又はデータストリップから電力供給される。
【００４９】
本開示の実施形態は、様々な利点を提供する荷物箱システム、方法、及びアセンブリを提供する。すなわち、それらの利点とは、低減された移動能力を有する人々のための改良された利用性、改良された乗客体験、低コストで軽量なデザイン、効率的で安全で美的で人間工学的な航空機の内装、航空機のより少ないダウンタイム、より速いターンアラウンドタイム、より速い搭乗及び降機、（人間工学／変動する人間の強さ限界によって制限されない）増加した箱の容量、より容易な乗務員の作業、より優れた航空機上でのサービス、例えば、荷物箱を閉めるために押し上げる物理的な動作の繰り返しの低減、及び改良された航空機での健康管理である。
【００５０】
図１は、本開示の一実施形態による、航空機１０などの輸送体の前面斜視図を示している。例えば、航空機１０は、２つのターボファンエンジン１４を含み得る推進システム１２を含む。任意選択的に、推進システム１２は、示されているよりも多くのエンジン１４を含み得る。エンジン１４は、航空機１０の翼１６によって担持されている。他の実施形態では、エンジン１４が、胴体１８及び／又は尾部２０によって担持されてもよい。尾部２０は、水平尾翼２２と、垂直尾翼２４も支持し得る。
【００５１】
航空機１０の胴体１８が内部客室を画定し、内部客室は、操縦室、１以上の作業区域（例えば、調理室、乗務員の手荷物エリアなど)、１以上の乗客区域（例えば、ファーストクラス、ビジネスクラス、エコノミークラス）、及び後方区域を含み得る。区域の各々は、客室遷移エリアによって分離され得る。頭上荷物箱アセンブリは、内部客室の全体を通して配置されている。
【００５２】
代替的に、航空機の代わりに、本開示の実施形態は、自動車、バス、機関車及び列車、船舶、宇宙船などの様々な他の輸送体に使用することができる。
【００５３】
図２Ａは、本開示の一実施形態による、航空機の内部客室３０の上面図を示している。内部客室３０は、航空機の胴体３２内にあってよい。例えば、１以上の胴体壁部材により、内部客室３０が画定され得る。内部客室３０には、前方区域３３、ファーストクラス区域３４、ビジネスクラス区域３６、前方調理ステーション３８、拡張されたエコノミー又はコーチ区域４０、標準のエコノミー又はコーチ区域４２、複数の化粧室と調理ステーションとを含み得る後方区域４４を含む、複数の区域が含まれる。内部客室３０は、図示したよりも多い又は少ない区域を含み得ると理解すべきである。例えば、内部客室３０には、ファーストクラス区域が含まれなくてもよく、図示したよりも多い又は少ない調理ステーションが含まれ得る。区域の各々は、通路４８の間にクラス仕切アセンブリを含み得る客室遷移エリア４６によって分離され得る。
【００５４】
図２Ａで示されるように、内部客室３０は、後方区域４４につながる２つの通路５０及び５２を含む。任意選択的に、内部客室３０は、図示したよりも少ない又は多い通路を有し得る。例えば、内部客室３０には、後方セクション４４につながる内部客室３０の中央を通って延在する単一の通路が含まれ得る。
【００５５】
１以上の電気信号供給システム２００が、内部客室３０内の１以上の構造的な構成要素に固定され得る。示されているように、各電気信号供給システム２００は、内部客室３０の長手方向軸４７と平行に延在し得る。任意選択的に、電気信号供給システム２００は、長手方向軸４７と平行でなくてもよい。例えば、少なくとも１つの電気信号供給システム２００は、内部客室３０を横断し得る。それによって、少なくとも１つの電気信号供給システム２００は、長手方向軸４７と垂直であり得る。しかし、内部客室３０は、示されているよりも多い又は少ない電気信号供給システム２００を含み得る。例えば、電気信号供給システム２００は、航空機に搭載されている座席の各長手方向区域にわたり配置され得る。
【００５６】
電気信号供給システム２００は、前面又は前方区域３３から後方区域４４に及び得る。電気信号供給システム２００は、内部客室３０の全長に及び得る。任意選択的に、電気信号供給システム２００は、内部客室３０の全長未満に及び得る。
【００５７】
電気信号供給システム２００は、内部客室３０内の様々な構造的な構成要素に固定され得る。例えば、電気信号供給システム２００は、ストロングバック、乗客サービスユニット（ＰＳＵ）トローフ（trough）、荷物箱、ＰＳＵレール、床部材構造体、天井構造体、壁部材構造体などにしっかりと取り付けられ得る。電気信号供給システム２００は、電力信号及び／又はデータ信号などの電気信号を、以下で説明されるように、内部客室内の様々な電気デバイスに供給するように構成されている。
【００５８】
電気信号供給システム２００は、「Systems and Methods for Providing Electrical Signals to Electrical Devices Within an Interior Cabin of a Vehicle」という名称の米国特許出願第15/287,949号を背景技術の参照として更に説明される。
【００５９】
図２Ｂは、本開示の一実施形態による、航空機の内部客室８０の上面図を示している。内部客室８０は、航空機の胴体８１内にあってよい。例えば、１以上の胴体壁部材により、内部客室８０が画定され得る。内部客室８０は、乗客席８３を有する主たる客室８２と、主たる客室８２の後ろの後方区域８５とを含む、複数の区域を含む。内部客室８０は、図示したよりも多い又は少ない区域を含み得ると理解すべきである。
【００６０】
内部客室８０には、後方区域８５につながる単一の通路８４が含まれ得る。単一の通路８４は、後方区域８５につながる内部客室８０の中央を通って延在し得る。例えば、単一の通路８４は、内部客室８０の中央長手方向面８６と同軸上に位置調整され得る。１以上の電気信号供給システム２００が、内部客室８０内の構造的な構成要素に固定され得る。
【００６１】
図３は、本開示の一実施形態による、航空機の内部客室１００の内部斜視図を示している。内部客室１００は、アウトボードの壁部材１０２、及び複数の天井パネルを含み得る天井１０４を含む。窓１０６が、アウトボードの壁部材１０２内に形成され得る。床部材１０８は、座席１１０の列を支持する。図３で示されているように、列１１２は、通路１１３の何れの側にも２つの座席１１０を含み得る。しかし、列１１２は、示されているよりも多い又は少ない座席１１０を含み得る。更に、内部客室１００は、示されているよりも多くの通路を含み得る。
【００６２】
ＰＳＵ１１４などの電気デバイスが、通路１１３の何れの側でもアウトボードの壁部材１０２と天井１０４との間に固定されている。ＰＳＵ１１４は、内部客室１００の前方端と後方端との間で延在する。例えば、ＰＳＵ１１４は、列１１２内の各座席１１０の上方に配置され得る。各ＰＳＵ１１４は、概して、列１１２内の各座席１１０（又は座席の群）の上方に、乗客用通気口、読書用ライト、（酸素バッグ落下パネルなどの）酸素供給システム、客室乗務員リクエストボタン、及び他のそのような制御部を含む、ハウジング１１６を含み得る。
【００６３】
頭上荷物箱アセンブリ１１８は、通路１１３の何れの側でも、ＰＳＵ１１４から上方且つインボードの、天井１０４及び／又はアウトボードの壁部材１０２に近い構造体に固定されている。頭上荷物箱アセンブリ１１８は、座席１１０の上方に固定されている。頭上荷物箱アセンブリ１１８は、内部客室１００の前方端と後方端との間で延在する。各荷物箱アセンブリ１１８は、（図３では視野から隠れている）ストロングバックに旋回可能に固定された旋回箱又はバケット１２０を含み得る。頭上荷物箱アセンブリ１１８は、ＰＳＵ１１４の下側面から上方且つインボードに配置され得る。頭上荷物箱アセンブリ１１８は、例えば、乗客の手荷物及び身の回りの物を受け入れるために、旋回して開くように構成されている。
【００６４】
本明細書で使用される際に、「アウトボード」という用語は、別の構成要素と比較して、内部客室１００の中央長手方向面１２２から更に離れる位置を意味する。「インボード」という用語は、別の構成要素と比較して、内部客室１００の中央長手方向面１２２により近い位置を意味する。例えば、ＰＳＵ１１４の下側面は、荷物箱アセンブリ１１８に対してアウトボードにあり得る。
【００６５】
（図２Ａ及び図２Ｂで示されているが、図３では視界から隠されている）少なくとも１つの電気信号供給システム２００が、内部客室１００の全長にわたり延在し、長手方向面１２２と平行に続き得る。例えば、電気信号供給システム２００は、荷物箱アセンブリ１１８のストロングバックに取り付けられ得る。任意選択的に、電気信号供給システム２００は、ＰＳＵ１１４を適所に固定するＰＳＵレールに取り付けられ得る。別の一実施例として、電気信号供給システム２００が、床部分又は天井構造体に取り付けられ得る。
【００６６】
電気デバイス１２５は、荷物箱アセンブリ１１８のバケット１２０上に取り付けられ得る。示されているように、電気デバイス１２５は、バケット１２０の外面に固定され得る。任意選択的に、電気デバイス１２５は、バケット１２０の内面に固定され得る。少なくとも１つの実施形態では、電気デバイス１２５がバケット１２０内に埋め込まれていてもよい。電気デバイス１２５は、電動ラッチ又はロック、スピーカー、（１以上の発光ダイオードなどの）照明アセンブリ、（ビデオスクリーン及び／又はタッチスクリーンなどの）モニタ、ファン、１以上のセンサなどのうちの１以上であり得る。電気デバイスも、例えば、読書用ライトパネルに隣接して、ＰＳＵトローフ内に設置され得る。
【００６７】
電動ラッチの形態を採る電気デバイス１２５は、バケット１２０の様々なエリアにあり得る。例えば、ラッチは、バケット１２０の前面の中央に又は中央に近接して、上側端、下側端、側方部分に又は上側端、下側端、側方部分に近接するなどして存在し得る。少なくとも１つの実施形態では、ラッチが、バケット１２０上になくてもよいが、荷物箱アセンブリ１１８が固定されている構造的な特徴上にあってもよい。
【００６８】
図４は、本開示の一実施形態による、内部客室１００内の閉じた位置にある荷物箱アセンブリ１１８の前面斜視図を示している。荷物箱アセンブリ１１８は、（図４では視野から隠されている）前方及び後方端パネルに連結された前パネル１２６を有するバケット１２０を含む。示されているように、前パネル１２６は、アウトボードの壁部材１０２に向かって下向きに湾曲する湾曲した外面を有するアーチ形パネルであり得る。そのようにして、前パネル１２６の上端部分１２８は、下側部分１３０よりもインボードにある。電気デバイス１２５は、前パネル１２６内に固定され且つ／又は埋め込まれていてもよい。記されているように、電気デバイス１２５は、電動ラッチ、（ボタンなどの）近接制御部材、近接又は運動センサなどであり得る。
【００６９】
図５は、本開示の一実施形態による、内部客室１００内の開いた位置にある荷物箱アセンブリ１１８の前面斜視図を示している。示されているように、前パネル１２６は、概して、互いに対して対向し且つ平行であり得る、前方端パネル１３２と後方端パネル１３４に固定されている。前パネル１２６と端パネル１３２及び１３４とは、底パネル１３６にも連結され得る。例えば、底パネル１３６は、前パネル１２６の内側に湾曲した部分であり得る。少なくとも１つの実施形態では、クローズアウトブラケット１３８が、端パネル１３２と１３４との間で延在し、それらの間の堅いブレーシング支持を提供し得る。前パネル１２６は、端パネル１３２及び１３４よりも厚くなり得る。何故ならば、前パネル１２６は、頭上のバッグの重量を直接的に支持するように構成されているからである。そのようにして、前パネル１２６は、更なる支持強度及び堅さを提供するために増加された厚さを有し得る。
【００７０】
荷物保持室１４０が、前パネル１２６、端パネル１３２と１３４、及び底パネル１３６の間で画定されている。荷物保持室１４０は、荷物箱アセンブリ１１８が開位置にあるときに荷物１４２を受け入れるように構成されている。
【００７１】
端パネル１３２と１３４は、各々、ストロングバックの固定されたパネルなどの、固定されたパネル１４４と旋回可能に固定されている。すなわち、固定されたパネル１４４は、内部客室１００内のストロングバックの部分であり得る。
【００７２】
荷物箱アセンブリの背景技術の例は、「Overhead Stowage Bin Assembly for a Vehicle」という名称の米国特許出願第14/682,217号で説明されている。しかし、理解され得るように、荷物箱アセンブリの様々な他の種類が、本開示の実施形態に対して使用され得る。米国特許出願第14/682,217号と同様に、図４及び図５で示されている荷物箱アセンブリ１１８は、単なる例示である。
【００７３】
図６は、本開示の一実施形態による、輸送体３０４の内部客室３０２内の座席３００の列の側面斜視図を示している。内部客室３０２は、内部客室の床部材３０５に取り付けられた第１の電気信号供給システム２００ａ、荷物箱アセンブリ３１０の下方でＰＳＵ３０８を支持するＰＳＵレール３０６に取り付けられた第２の電気信号供給システム２００ｂ、及び内部客室３０２の天井３０８に取り付けられた第３の電気信号供給システム２００ｃを含み得る。任意選択的に、内部客室３０２は、電気信号供給システム２００ａ、２００ｂ、及び２００ｃのうちの全部未満を含み得る。
【００７４】
示されているように、電気信号供給システム２００ａ、２００ｂ、及び２００ｃは、内部客室３０２の長さに沿って延在する。電気信号供給システム２００ａ、２００ｂ、及び２００ｃは、内部客室３０２の中央長手方向軸３１１、又は内部客室３０２の中央長手方向軸３１１の少なくとも一部分と平行である。任意選択的に、１以上の電気信号供給システムは、内部客室３０２に対して横に方向付けられ得る。それによって、１以上の電気信号供給システムは、中央長手方向軸３１１と垂直であり得る。
【００７５】
様々な電気デバイスが、電気信号供給システム２００ａ、２００ｂ、及び２００ｃのコンセント２１０に接続され得る。例えば、座席３００の肘掛３２０上のコンソール２１２ａが、電気信号供給システム２００ａと電気的に接続され得る。コンソール２１２ａは、モニタ、タッチスクリーンなどの、ディスプレイであってもよく又はそれを含んでもよい。任意選択的に、コンソール２１２ａは、座席の後面に取り付けられてもよい。ＰＳＵ３０８と荷物箱のラッチ２１２ｂは、電気信号供給システム２００ｂと電気的に接続され得る。アクセント照明アセンブリ２１２ｃとスピーカーが、電気信号供給システム２００ｃと電気的に接続され得る。更に、照明アセンブリ２１２ｄが、電気信号供給システム２００ｂと電気的に接続され得る。
【００７６】
更に、マイクロフォン２１２ｅが、電気信号供給システム２００ｂと電気的に接続され得る。マイクロフォン２１２ｅは、内部客室７０２の全体を通して配置されてもよく、客室乗務員が飛行中にメッセージを放送することを可能にする。
【００７７】
電気信号供給システム２００ａ‐ｃは、電気デバイスを電源及びデータソースに接続するために従来から使用されてきた配線及び束状構造物に取って代わる。ＰＣＢ２０８上で規則的に間隔を空けられたコンセント２１０が、内部客室３０２の全体を通して様々な電気デバイスとの素早くて容易な接続を可能にする。
【００７８】
図７は、本開示の一実施形態による、荷物箱アセンブリ３５１のラッチ３５０の前面図を示している。ラッチ３５０は、図６で示されているラッチ２１２ｂの一実施例である。ラッチ３５０は、荷物箱アセンブリ３５１の前パネル３５５上に取り付けられている。任意選択的に、ラッチ３５０は、荷物箱アセンブリ３５１の他の部分上に取り付けられ得る。ラッチ３５０は、（図７では示されていない）ラッチング機構に接続された電気スイッチを含むラッチボタン内の起動ボタン３６０を含む。
【００７９】
図８は、本開示の一実施形態による、荷物箱アセンブリ３５１のラッチング機構４００を示している。ラッチング機構４００は、（図４及び図５で示されているバケット１２０などの）バケットの側壁４１０、ストロングバック上などに取り付けられ得る。ラッチング機構４００は、起動の際に航空機荷物箱のドアを押し開けるソレノイド駆動部材４２０を含み、乗客又は航空会社の客室乗務員がドアを押して閉めるときに、ドアを閉じた状態で維持するために使用されるラッチング要素も含み得る。ケーブル４３０が、（図３で示されている）ラッチ３５０内の電子スイッチとラッチング機構４００との間に接続され得る。任意選択的に、ラッチ３５０内の電子スイッチとラッチング機構が、無線接続を通じて通信し得る。
【００８０】
図７及び図８を参照すると、ラッチ３５０が乗客又は航空会社の客室乗務員によって起動されたときに、電気信号がケーブル４３０内の導体を介してラッチ３５０からラッチング機構４００へ渡されて、ラッチング機構４００が荷物箱アセンブリ３５１のドア又はバケットを押し開けることをもたらす。
【００８１】
ラッチ３５０とラッチング機構４００の背景技術の実施例が、「Self-Contained Electronic Stowage Bin System」という名称の米国特許出願第14/542,265号で更に説明されている。米国特許出願第14/542,265号で説明されているように、荷物箱アセンブリは、ラッチ３５０及び／又はラッチング機構４００に電力を供給するように構成された、エネルギー利用システムとエネルギー貯蔵を含み得る。少なくとも１つの他の実施形態では、ラッチ３５０及び／又はラッチング機構４００が、「Systems and Methods for Providing Electrical Signals to Electrical Devices Within an Interior Cabin of a Vehicle」という名称の米国特許出願第15/287,949号で説明されているように、（図２Ａ、図２Ｂ、及び図６で示されている）電気信号供給システム２００から、電力及び／又はデータを受信するように構成され得る。別の背景技術の一実施例として、ラッチ３５０及び／又はラッチング機構４００が、「Systems and Methods for Wirelessly Transmitting Electrical Signals to an Overhead Stowage Bin Assembly of a Vehicle」という名称の米国特許出願第15/281,263号で説明されているシステム及び方法を介して、電力及び／又はデータを受信するように構成され得る。代替的に、ラッチ３５０及び／又はラッチング機構４００は、１以上の有線接続を通じて電力及び／又はデータを受信するように構成され得る。
【００８２】
図９は、本開示の一実施形態による、荷物箱制御システム５００のブロック図を示している。荷物箱制御システム５００は、荷物箱アセンブリ５０２から分離され区別されたマスター制御デバイス５０１と通信する、（本明細書で説明されるもののうちの何れかなどの）複数の荷物箱センブリ５０２を含む。荷物箱アセンブリ５０２は、本出願書類で説明されるものなどの、輸送体内に配置され得る。マスター制御デバイス５０１も、操縦室、調理室内などの、輸送体内に配置され得る。少なくとも１つの実施形態では、マスター制御デバイス５０１が、輸送体内の制御パネル及び／又はコンピュータステーションであり又はそれらの部分であり得る。少なくとも１つの他の実施形態では、マスター制御デバイス５０１が、手で扱う制御デバイス、スマートデバイス、スマートホン、タブレットなどの、手で扱うデバイスであり又はそれらの部分であり得る。
【００８３】
少なくとも１つの実施形態では、マスター制御デバイス５０１が、輸送体内の荷物箱アセンブリ５０２の全てと通信可能に接続されている。少なくとも１つの実施形態では、複数の荷物箱アセンブリ５０２の動作を制御するために、単一のマスター制御デバイス５０１が使用される。任意選択的に、マスター制御デバイス５０１は、輸送体内の荷物箱アセンブリ５０２の全部未満と通信し得る。輸送体は、図９で示されているよりも多くの又は少ない荷物箱アセンブリ５０２を含み得る。
【００８４】
荷物箱アセンブリ５０２のうちの少なくとも１つは、ラッチ５０６、荷物箱制御ユニット５０８、及び通信デバイス５１０を含む。荷物箱制御ユニット５０８は、１以上の有線又は無線接続を通じてラッチ５０６及び通信デバイス５１０と通信可能に接続されている。任意選択的に、荷物箱アセンブリ５０２は、荷物箱制御ユニット５０８を含まなくてもよい。
【００８５】
ラッチ５０６は、荷物箱アセンブリ５０２を閉じた位置へラッチするように構成された、（図８で示されているラッチング機構４００などの）１以上のラッチング機構と動作可能に接続されている。例えば、ラッチ５０６は、荷物箱アセンブリ５０２の両側端において２つのラッチング機構と動作可能に接続され得る。任意選択的に、ラッチ５０６は、単一のラッチング機構と動作可能に接続され得る。更に、任意選択的に、ラッチ５０６は、３つ以上のラッチング機構と動作可能に接続され得る。
【００８６】
ラッチ５０６は、荷物箱アセンブリ５０２の様々な位置にあり得る。例えば、ラッチ５０６は、前パネルの中央、前パネルの上方、前パネルの下方、前パネルの側方などにあり得る。少なくとも１つの実施形態では、ラッチ５０６が、荷物箱アセンブリ５０２から分離され区別された構造的な特徴上に配置され得る。
【００８７】
マスター制御デバイス５０１は、１以上の有線又は無線接続を通じるなどして、ディスプレイ５１６、ユーザインターフェース５１８、及び通信デバイス５１８と通信可能に接続された、マスター荷物箱制御ユニット５１４を含む、ハウジング５１２を含む。ディスプレイ５１６は、タッチスクリーンモニタ、ＬＥＤモニタ、液晶ディスプレイ（ＬＣＤ）モニタ、プラズマモニタなどの、モニタを含み得る。任意選択的に、マスター制御デバイス５０１は、ディスプレイ５１６を含まなくてもよい。ユーザインターフェース５１８は、ディスプレイのタッチスクリーン表面、個別のタッチスクリーン表面、キーボード、１以上のボタンなどであり又はそれらを含み得る。ユーザインターフェース５１８は、個人が、マスター制御デバイス５０１へコマンドを入力することを可能にする。ディスプレイ５１６は、個人が、コマンドを入力する、システムの状態を視察する、などのために、マスター制御デバイス５０１と相互作用することを可能にするように構成されている。
【００８８】
荷物箱アセンブリ５０２は、通信デバイス５１０、及び、１以上の有線又は無線接続を通じてマスター制御ユニット５１４の通信デバイス５１８を介して、マスター制御デバイス５０１と通信可能に接続されている。通信デバイス５１０及び５１８は、マスター制御デバイス５０１と荷物箱アセンブリ５０２との間の無線通信を可能にするように構成された、（無線アンテナなどの）アンテナ、トランシーバ、（ＷｉＦｉなどの）他の無線通信システムなどであり又はそれらを含み得る。代替的に、マスター制御デバイス５０１は、１以上の有線接続を通じて、荷物箱アセンブリ５０２と通信し得る。
【００８９】
少なくとも１つの実施形態では、マスター制御デバイス５０１が、無線接続を通じて、航空機内の荷物箱アセンブリ５０２と通信する。マスター制御デバイス５０１を荷物箱アセンブリ５０２と無線接続することによって、航空機は実質的により軽く作られる。何故ならば、マスター制御デバイス５０１と様々な荷物箱アセンブリ５０２との間のワイヤーの束を経路指定する必要がないからである。結局、より軽い航空機は、より少ない燃料を消費し、それによって、費用を節約する。更に、マスター制御デバイス５０１と荷物箱アセンブリ５０２との間でワイヤーの束が経路指定されないので、航空機内の空間が節約される。更に、マスター制御デバイス５０１と荷物箱アセンブリ５０２との間で経路指定されるワイヤーがないので、製造の工程が、より容易且つより安価である。
【００９０】
動作では、（航空機の乗務員などの）個人が、マスター制御デバイス５０１を介して、荷物箱アセンブリ５０２の動作を制御し得る。例えば、個人は、ユーザインターフェース５１８を介して、マスター制御デバイス５０１にロッキングコマンドを入力し得る。マスター荷物箱制御ユニット５１４は、マスター制御デバイス５０１へ入力されたロッキングコマンドに基づいて、ロッキングコマンドを受信し、荷物箱アセンブリ５０２のうちの１以上へロッキング制御信号を送信する。例えば、個人は、荷物箱アセンブリ５０２の全て又は荷物箱アセンブリ５０２のサブセットをロックする、ロッキングコマンドを入力し得る。
【００９１】
荷物箱アセンブリ５０２は、通信デバイス５１０を介して、マスター荷物箱制御ユニット５１４からロッキング制御信号を受信する。受信した制御信号に応じて、荷物箱制御ユニット５０８は、ラッチ５０６を操作して荷物箱アセンブリ５０２をロックし、それによって、乗客が荷物箱アセンブリ５０２を開けることを妨げる。任意選択的に、荷物箱アセンブリ５０２は、分離されて区別された荷物箱制御ユニット５０８を含まなくてもよい。代わりに、マスター荷物箱制御ユニット５１４が、中間の荷物箱制御ユニット５０８を介することなく、ラッチ５０６を制御し得る。
【００９２】
別の一実施例では、個人が、ユーザインターフェース５１８を介して、マスター制御デバイス５０１にロッキング解除コマンドを入力し得る。マスター荷物箱制御ユニット５１４は、マスター制御デバイス５０１へ入力されたロッキング解除コマンドに基づいて、ロッキング解除コマンドを受信し、荷物箱アセンブリ５０２のうちの１以上へロッキング解除制御信号を送信する。
【００９３】
荷物箱アセンブリ５０２は、通信デバイス５１０を介して、マスター荷物箱制御ユニット５１４からロッキング解除制御信号を受信する。受信した制御信号に応じて、荷物箱制御ユニット５０８は、ラッチ５０６を操作して荷物箱アセンブリ５０２をロック解除し、それによって、乗客が荷物箱アセンブリ５０２を開けることを可能にする。
【００９４】
別の一実施例では、個人が、ユーザインターフェース５１８を介して、マスター制御デバイス５０１へ開放コマンドを入力し得る。マスター荷物箱制御ユニット５１４は、マスター制御デバイス５０１へ入力された開放コマンドに基づいて、開放コマンドを受信し、荷物箱アセンブリ５０２のうちの１以上へ開放制御信号を送信する。
【００９５】
荷物箱アセンブリ５０２は、通信デバイス５１０を介して、マスター荷物箱制御ユニット５１４から開放制御信号を受信する。受信した制御信号に応じて、荷物箱制御ユニット５０８は、荷物箱アセンブリ５０２を自動的に開ける。例えば、荷物箱アセンブリ５０２は、コマンドを受けたときに荷物箱アセンブリ５０２を自動的に開けるように構成された、（図８で示されているロッキング機構４００、１以上のモータ、油圧サブシステム、空気圧サブシステム、電気開放システムなどを含み得る）アクチュエータ５２０を含み得る。アクチュエータ５２０は、アクチュエータ５２０の動作を制御する、荷物箱制御ユニット５０８と通信可能に接続されている。少なくとも１つの他の実施形態では、アクチュエータ５２０が、マスター荷物箱制御ユニット５１４から受信した制御信号に基づいて、マスター荷物箱制御ユニット５１４によって直接的に制御されるように構成され得る。
【００９６】
別の一実施例では、個人が、ユーザインターフェース５１８を介して、マスター制御デバイス５０１へ閉鎖コマンドを入力し得る。マスター荷物箱制御ユニット５１４は、マスター制御デバイス５０１へ入力された閉鎖コマンドに基づいて、閉鎖コマンドを受信し、荷物箱アセンブリ５０２のうちの１以上へ閉鎖制御信号を送信する。
【００９７】
荷物箱アセンブリ５０２は、通信デバイス５１０を介して、マスター荷物箱制御ユニット５１４から閉鎖制御信号を受信する。受信した制御信号に応じて、荷物箱制御ユニット５０８は、荷物箱アセンブリ５０２を自動的に閉じる。例えば、荷物箱アセンブリ５０２は、コマンドを受けたときに、アクチュエータ５２０を制御して、荷物箱アセンブリ５０２を自動的に閉じ得る。
【００９８】
少なくとも１つの実施形態では、マスター荷物箱制御ユニット５１４が、荷物箱アセンブリ５０２を自動的にロックし、ロック解除し、開け、閉じるようにプログラムされ得る。例えば、マスター荷物箱制御ユニット５１４は、飛行コンピュータと通信し、（離陸、着陸、乱気流の期間、タクシング、ゲートでの駐機などの）様々な移動のフェーズに基づいて、マスター荷物箱制御ユニット５１４を操作し得る。
【００９９】
マスター荷物箱制御ユニット５１４及び／又は荷物箱制御ユニット５０８は、演出された箱の開放／閉鎖、及び移動の特定の部分の間の箱の自動的なロッキングを含む、本出願書類の中で説明される機能の全部又は一部のための制御シーケンスを有するようにプログラムされ得る。例えば、マスター荷物箱制御ユニット５１４は、輸送体に搭載されている荷物箱アセンブリ５０２の全てを同時に開け且つ／又は閉じるように動作し得る。少なくとも１つの他の実施形態では、マスター荷物箱制御ユニットが、同期した且つ／又は交互方式で開け且つ／又は閉じるように動作し得る。このやり方では、荷物箱アセンブリ５０２の全てが、同時に閉じ又は開けられなくてもよい。もしそうするとすれば、増加した量のエネルギーを消費し且つ／又は増加した量のノイズを生成し得るからである。少なくとも１つの実施形態では、マスター制御デバイス５０１及び／又は荷物箱アセンブリ５０２が、波のような動作で開閉するようにプログラムされている。それは、客室照明、音響スキームなどと同期してもよいし又は同期しなくてもよい。例えば、荷物箱アセンブリ５０２は、内部客室のライトによって放射された照明効果、内部のスピーカーによって放射された音響信号、及び／又は内部客室内の１以上のモニタ若しくはディスプレイ上に表示された動画若しくはグラフィックスに関連付けられて開閉し得る。更に、予めプログラムされた制御シーケンスは、米国連邦航空局（ＦＡＡ）によって公布された安全性及びセキュリティ要件の遵守を保証する。
【０１００】
少なくとも１つの実施形態では、システム５００が、デフォルトで、ユーザが箱を手動で開閉することができる手動オーバーライドモードに設定される。例えば、マスター荷物箱制御ユニット５１４が、荷物箱制御ユニット５０８のうちの１以上からエラー信号を受信したならば、マスター荷物箱制御ユニット５１４が、荷物箱アセンブリ５０２をデフォルトモードに設定し得る。
【０１０１】
各荷物箱アセンブリ５０２の荷物箱制御ユニット５０８は、箱の容量の状態、保守の必要性、並びに／又は積み込み及び積み出し手順をスピードアップし得る利用データなどの、健全性又は状態を示すために、マスター荷物箱制御ユニット５１４に情報を報告するように構成され得る。例えば、荷物箱制御ユニット５０８は、荷物箱アセンブリ５０２をモニタし、マスター荷物箱制御ユニット５１４にレポート信号を出力し得る。レポート信号は、荷物箱アセンブリ５０２の動作上の健全性又は状態に関するデータを含む。
【０１０２】
本明細書で使用する「制御装置」「装置」「中央処理装置」「ＣＰＵ」「コンピュータ」などの語は、マイクロコントローラ、縮小指令セットコンピュータ（ＲＩＳＣ）、特定用途向け集積回路（ＡＳＩＣ）、論理回路、及び、本書で説明される機能を実行することが可能なハードウェア、ソフトウェア、又はこれらの組み合わせを含む他の任意の回路又はプロセッサを使用するシステムを含む、プロセッサベース又はマイクロプロセッサベースの、任意のシステムを含み得る。上述の例は例示的なものにすぎず、従って、上記用語の定義及び／又は意味を何らかの方法で限定することを意図していない。例えば、マスター荷物箱制御ユニット５１４と荷物箱制御ユニット５０８は、本明細書で説明されるように、動作を制御するように構成された１以上のプロセッサであり又はそれらを含み得る。
【０１０３】
マスター荷物箱制御ユニット５１４と荷物箱制御ユニット５０８の各々は、データを処理するために、（１以上のメモリなどの）１以上のデータ記憶ユニット又は要素内に記憶された、一組の指示命令を実行するように構成されている。例えば、マスター荷物箱制御ユニット５１４と荷物箱制御ユニット５０８の各々は、１以上のメモリを含み又はそれらに接続され得る。データ記憶ユニットは、所望又は必要に応じてデータ又は他の情報も記憶し得る。データ記憶ユニットは、情報ソース、又は処理マシン内部の物理メモリ素子という形態を採り得る。
【０１０４】
一組の指示命令は、マスター荷物箱制御ユニット５１４と荷物箱制御ユニット５０８の各々に指示命令を与え、処理マシンとして、本明細書記載の主題の様々な実施例の方法及びプロセスなどの、特定の操作を実行させる様々なコマンドを含み得る。一組の指示命令は、ソフトウェアプログラムの形態を採り得る。ソフトウェアは、システムソフトウェア又はアプリケーションソフトウェアなどの様々な形態であり得る。更に、ソフトウェアは、別個のプログラムの集合、より大きなプログラム内のプログラムサブセット、或いはプログラムの一部の形態を採り得る。ソフトウェアはまた、オブジェクト指向プログラミングの形態のモジュラープログラミングを含み得る。処理マシンによる入力データの処理は、ユーザのコマンドに応答する、又は、前の処理の結果に応答する、又は、別の処理機によってなされた要求に応答するものであり得る。
【０１０５】
本明細書の実施例の図は、マスター荷物箱制御ユニット５１４と荷物箱制御ユニット５０８などの、１以上の制御又は処理ユニットを示し得る。処理又は制御装置が、本明細書に記載の動作を実行する（例えば、コンピュータハードドライブ、ＲＯＭ、ＲＡＭなどの、有形且つ非一過性のコンピュータ可読記憶媒体に記憶されたソフトウェアなど）、関連する指令を含むハードウェアとして実装され得る回路、又はその一部を表していることを理解されたい。ハードウェアは、本明細書に記載の機能を実行するようハードワイヤードされたステートマシン回路を含み得る。オプションで、ハードウェアが、マイクロプロセッサ、プロセッサ、コントローラなどの一以上の論理ベースのデバイスを含み、且つ／又はそれらに接続された電子回路を含んでもよい。任意選択的に、マスター荷物箱制御ユニット５１４と荷物箱制御ユニット５０８の各々は、フィールドプログラマブルゲートアレイ（ＦＰＧＡ）、特定用途向け集積回路（ＡＳＩＣ）、（１以上の）マイクロプロセッサなどのうちの１以上などの処理回路を表し得る。様々な実施例の回路は、本明細書で説明される機能を実行するために、１以上のアルゴリズムを実行するように構成され得る。そのような１以上のアルゴリズムは、フローチャート又は方法に明示的に特定されているか否かに関わらず、本明細書で開示される実施例の態様を含み得る。
【０１０６】
本明細書で使用される際に、「ソフトウェア」及び「ファームウェア」という用語は、相互交換可能であり、コンピュータによる実行のために、データ記憶ユニット（例えば、１以上のメモリ）に記憶された任意のコンピュータプログラムを含む。データ記憶ユニットには、ＲＡＭメモリ、ＲＯＭメモリ、ＥＰＲＯＭメモリ、ＥＥＰＲＯＭメモリ、及び不揮発性ＲＡＭ（ＮＶＲＡＭ）メモリが含まれる。上記のデータ記憶ユニットの種類は、ただの例示であり、したがって、コンピュータプログラムの記憶のために使用可能なメモリの種類について限定するものではない。
【０１０７】
図１０は、本開示の一実施形態による、荷物箱アセンブリ５０２のブロック図を示している。荷物箱アセンブリ５０２は、図１から図９に関連して上述された荷物箱アセンブリの一実施例である。荷物箱アセンブリ５０２は、図９で示されているマスター制御デバイス５０１と通信可能に接続されていてもよいし又は接続されていなくてもよい。
【０１０８】
少なくとも１つの実施形態では、荷物箱アセンブリ５０２が、６インチ未満の検出範囲内などの、近傍内の物体の存在を検出するように構成された、近接センサ５２２を含む。近接センサ５２２は、（図４で示されている）バケット１２０の前パネル１２６上などの、荷物箱アセンブリ５０２の外面に取り付けられ得る。少なくとも１つの実施形態では、近接センサ５２２が、無線周波数識別センサ及び／又はリーダーであり得る。近接センサ５２２は、ラッチ５０６に近接して荷物箱アセンブリ５０２に取り付けられ得る。少なくとも１つの実施形態では、近接センサ５２２が、ラッチ５０６の部分に接触し又はそれを形成する。
【０１０９】
少なくとも１つの実施形態では、飛行乗務員が、近接センサ５２２の検出範囲内に、ＲＦＩＤバッジなどのバッジを配置し得る。飛行乗務員は、近接センサ５２２内でＲＦＩＤバッジを動かして、ラッチ５０６をロックされた状態に設定し得る。それによって、荷物箱アセンブリ５０２は、開けることができない。ロックされた状態にあるときに、ラッチ５０６に近接しているか又はラッチ５０６に接続され得る１以上の（ＬＥＤなどの）外側発光要素５２４は、ロックされた状態を示す特定の色の光を放射し得る。例えば、乗客が、ラッチ５０６を押すことなどによって、荷物箱アセンブリ５０２を開けることを試みたときに、（１以上の）発光要素５２４は、赤い光を放射し得る。少なくとも１つの他の実施形態では、発光要素５２４が、ディスプレイ上に配置されてもよく、テキストパターンで光を放射するように構成されてもよい。例えば、発光要素５２４は、照らされた「ロックされている」というメッセージを示すように動作し得る。
【０１１０】
荷物箱アセンブリ５０２を乗客が開けることができるようにするために、客室乗務員は、近接センサ５２２の近傍でＲＦＩＤバッジを再びスワイプして、ラッチ５０６をロック解除された状態へ戻すことができる。その後、（１以上の）外側発光要素５２４は、（緑の光などの）光又は（「ロック解除されている」などの）テキストを放射して、荷物箱アセンブリ５０２がロック解除されていることを示すことができる。任意選択的に、荷物箱アセンブリ５０２は、近接センサ５２２を含まなくてもよい。
【０１１１】
少なくとも１つの実施形態では、荷物箱アセンブリ５０２が、ラッチ５０６に近接した運動センサ５２６を含み得る。運動センサ５２６は、ラッチ５０６に接続され又はラッチ５０６に取り付けられ得る。運動センサ５２６は、ラッチ５０６から６インチ内などの検出範囲内の運動を検出するように構成されている。運動センサ５２６は、超音波センサ、赤外線センサなどであり得る。
【０１１２】
動作では、運動センサ５２６は、ラッチ５０６又は荷物箱アセンブリ５０２の別の１つの他の部分を個人が触ることなしに、荷物箱アセンブリ５０２を自動的に開けることに関与し得る。例えば、運動センサ５２６の検出範囲内で個人が手を振ったときに、運動センサ５２６は、荷物箱制御ユニット５０８、アクチュエータ５２０、及び／又はラッチ５０６へ開放信号を送信する。開放信号は、アクチュエータ５２０に、手動介入なしに荷物箱センブリ５０２を開けさせる。少なくとも１つの実施形態では、荷物箱アセンブリ５０２が開いた状態にあるときに、（手などの）物体が運動センサ５２６の検出範囲内を通過すると、アクチュエータ５２０が、手動介入なしに荷物箱アセンブリ５０２を自動的に閉鎖する。任意選択的に、荷物箱アセンブリ５０２は、運動センサ５２６を含まなくてもよい。
【０１１３】
少なくとも１つの実施形態では、荷物箱アセンブリ５０２が、１以上のＬＥＤなどの１以上の内側発光要素５２８を含み得る。少なくとも１つの実施形態では、荷物箱制御ユニット５０８が、内側発光要素５２８（及び／又は外側発光要素５２４）を操作するように構成されている。内側発光要素５２８は、ストロングバックなどに固定された、図５で示されている荷物保持室１４４内などの、荷物箱アセンブリ５０２内にあり得る。内側発光要素５２８は、荷物保持室１４４を照らすように構成されている。例えば、荷物箱アセンブリ５０２が開いているときに、内側発光要素５２８は、開いている荷物箱アセンブリ５０２の内部を照らし得る。荷物箱アセンブリ５０２が閉じているときに、発光要素５２８は起動解除される。荷物箱制御ユニット５０８は、荷物箱アセンブリ５０２が開いているか又は閉じているかに基づいて、内側発光要素５２８を操作するように構成され得る。少なくとも１つの他の実施形態では、内側発光要素５２８が、アクチュエータ５２０及び／又はラッチ５０６と通信する、スイッチによって制御され得る。
【０１１４】
少なくとも１つの実施形態では、内側発光要素５２８が、荷物箱アセンブリ５０２が開くに従って徐々に強度を増す光を放射し得る。更に、内側発光要素５２８は、荷物箱アセンブリ５０２が閉じるに従って徐々に減衰し消える光を放射し得る。任意選択的に、荷物箱アセンブリ５０２は、（１以上の）内側発光要素５２８を含まなくてもよい。
【０１１５】
少なくとも１つの実施形態では、荷物箱アセンブリ５０２が、１以上の有線又は無線接続を通じるなどして、荷物箱制御ユニット５０８と通信する、箱位置センサ５３０を含み得る。箱位置センサ５３０は、（閉じた状態であるか又は開いた状態であるかなどの）荷物箱アセンブリ５０２の位置を検出するように構成された、加速度計、エンコーダ、角度位置検出器、荷重センサ、空間積分器センサ（spatial integrator sensor）などのうちの１以上であり得る。荷物箱制御ユニット５０８は、荷物箱アセンブリ５０２の位置を決定するために、箱位置センサ５３０から１以上の信号を受信する。（図９で示されている）マスター制御デバイス５０１は、荷物箱制御ユニット５０８と通信し、荷物箱アセンブリ５０２及び輸送体内の他の荷物箱アセンブリの位置を決定し得る。任意選択的に、荷物箱アセンブリ５０２は、箱位置センサ５３０を含まなくてもよい。
【０１１６】
少なくとも１つの実施形態では、荷物箱アセンブリ５０２が、１以上の有線又は無線接続を通じるなどして、荷物箱制御ユニット５０８と通信可能に接続された、電子スケールなどの重量センサ５３２を含み得る。重量センサ５３２は、荷物箱アセンブリ５０２の重量を検出するように構成されている。荷物箱制御ユニット５０８（及び／又は図９で示されているマスター荷物箱制御ユニット５１４）は、重量センサ５３２によって出力された信号をモニタし、それらをメモリ内に記憶された１以上の重量閾値と比較する。例えば、荷物箱アセンブリ５０２の重量が（荷物箱アセンブリ５０２内の荷物の量のために）最大重量閾値を超えているならば、荷物箱制御ユニット５０８は、（図９で示されている）マスター制御デバイス５０１などに、荷物箱アセンブリ５０２内の少なくとも一部の内容物が除去されるべきことを示す警報を出力し得る。別の一実施例では、荷物箱アセンブリ５０２の重量が最大重量閾値の所定範囲内にあることに応じて、荷物箱制御ユニット５０８が、アクチュエータ５２０を操作して、荷物箱アセンブリ５０２を自動的に閉じ、ラッチ５０６をロックされた位置へ操作し得る。
【０１１７】
少なくとも１つの実施形態では、重量センサ５２２が、荷物箱アセンブリ５０２の一部分にしっかりと連結されている。例えば、重量センサ５２２は、（例えば、図５で示されている）前パネル１２６、（例えば、図５で示されている）端パネル１３２及び／又は１３４に取り付けられ得る。重量センサ５２２は、前パネル１２６の内面又は外面、端パネル１３２及び／又は１３４にしっかりと取り付けられ得る。少なくとも１つの実施形態では、重量センサ５２２が、前パネル１２６、端パネル１３２、及び／又は端パネル１３４などの、荷物箱アセンブリ５０２の一部分内に埋め込まれてもよい。
【０１１８】
少なくとも１つの実施形態では、荷物箱アセンブリ５０２が、タッチスクリーンインターフェース、静電容量センサ、音波センサなどの、少なくとも１つのタッチセンサ５３４も含み得る。タッチセンサ５３４は、荷物箱制御ユニット５０８及び／又はラッチ５０６のうちの一方又は両方と通信可能に接続され、（押圧すること、スワイプすることなどを介するなどして）接触されるように構成されている。接触されたときに、タッチセンサ５３４は、選択的に、ラッチ５０６をロックし、ラッチ５０６をロック解除し、又は荷物箱アセンブリ５０２を開ける、荷物箱制御ユニット５０８及び／又はラッチ５０６に信号を送信する。
【０１１９】
図１１は、本開示の一実施形態による、ラッチ５０６の前面図を示している。図１１は、ラッチ５０６の一実施例を示す。しかし、ラッチ５０６は、図１１で示されているものとは異なったサイズ及び形状を有し得る。例えば、図７で示されているラッチ３５０が使用され得る。
【０１２０】
ラッチ５０７は、フレーム又はハウジング５０９内に固定された係合ボタン５０７を含み得る。係合ボタン５０７の上方のカバー５１１及び／又は空間が、図１０に関連して示され説明された、運動センサ５２６、近接センサ５２２、及び／又は（１以上の）外側発光要素５２４を含み且つ／又はカバーし得る。少なくとも１つの実施形態では、（１以上の）発光要素５２４が、係合ボタン５０７内に取り付けられ得る。
【０１２１】
図１２は、本開示の一実施形態による、ラッチ５０６に接続された荷物箱制御ユニット５０８の回路図を示している。ラッチ５０６は、ラッチング機構６００及び６０２などの１以上のラッチング機構を含んでもよく、又はさもなければそれらに接続されていてもよい。例えば、荷物箱アセンブリは、左すなわち前方のラッチング機構と右すなわち後方のラッチング機構を含み得る。ラッチング機構６００及び６０２は、それぞれのスイッチ６０８及び６１０に接続された、それぞれのソレノイド６０４及び６０６を含み得る。荷物箱制御ユニット５０８は、入力コマンドに基づいて、ソレノイド６０４及び６０６を操作して、荷物箱アセンブリを開けるように構成されている。
【０１２２】
荷物箱制御ユニット５０８は、ラッチング機構６００及び６０２から受信した信号をモニタして、荷物箱アセンブリ５０２が所望の位置にあるか否かを判定し得る。例えば、荷物箱アセンブリ５０２が開いた位置にあるべきだが、荷物箱アセンブリ５０２がラッチング機構６００及び６０２から相反する信号を受信したならば、荷物箱制御ユニット５０８は、（誤作動しているラッチング機構などの）エラー状態を決定し得る。荷物箱制御ユニット５０８は、マスター制御デバイス５０１へエラー信号を出力し得る。そのエラー信号は、（外側発光要素５２４を介するなどして）荷物箱アセンブリ５０２上に示され得る。
【０１２３】
図１２は、ラッチ５０６に関連する荷物箱制御ユニット５０８の一実施例を示している。荷物箱制御ユニット５０８は、様々な他のやり方でラッチと動作可能に接続され得る。例えば、ラッチ５０６は、単一のラッチング機構のみを含んでもよく、又はそれと接続されていてもよい。少なくとも１つの他の実施形態では、ソレノイドの代わりに又はソレノイドに加えて、ラッチング機構が、荷物箱アセンブリ５０２を開閉するように構成されたモータを含み得る。
【０１２４】
図１３は、本開示の一実施形態による、荷物箱制御方法のブロック図を示している。図９及び図１３を参照すると、該方法は、７００で開始し、７００では、マスター制御デバイス５０１が、複数の荷物箱アセンブリ５０２と通信可能に接続される。例えば、マスター制御デバイス５０１のマスター荷物箱制御ユニット５１４は、無線接続を通じるなどして、荷物箱アセンブリの荷物箱制御ユニット５０８と通信する。
【０１２５】
次に、７０２では、マスター制御デバイス５０１が、荷物箱アセンブリ５０２の状態をモニタする。例えば、マスター荷物箱制御ユニット５１４は、（荷物箱制御ユニット５０８を介するなどして）荷物箱アセンブリ５０２から出力された信号を受信して、ラッチ５０６がロックされているか又はロック解除されているか、荷物箱アセンブリ５０２が開いているか又は閉じているか、などを判定し、荷物箱アセンブリ５０２の容量などを決定する。
【０１２６】
７０４では、マスター荷物箱制御ユニット５１４が、荷物箱アセンブリ５０２のうちの１以上がロックされるべきか否かを判定する。例えば、飛行乗務員が、マスター荷物箱制御ユニット５１４にロッキングコマンドを入力してもよく、又はマスター荷物箱制御ユニット５１４が、ロッキングコマンドをトリガする（飛行の特定の限定されたフェーズの間などの）状態を検出してもよい。７０６では、荷物箱アセンブリがロックされるべきならば、マスター荷物箱制御ユニット５１４は、荷物箱アセンブリ５０２のうちの１以上を自動的にロックする、ロックコマンド信号を出力する。その後、該方法は７０２へ戻る。
【０１２７】
しかし、荷物箱アセンブリ５０２が、ロックされた位置へ作動される必要がないならば（例えば、それらが既にロックされているならば）、又は７０４で荷物箱アセンブリ５０２がロックされる必要がないならば、該方法は７０８へ進み、７０８では、マスター荷物箱制御ユニット５１４が、荷物箱アセンブリがロック解除されるべきか否かを判定する。例えば、飛行乗務員が、マスター荷物箱制御ユニット５１４にロッキング解除コマンドを入力してもよく、又はマスター荷物箱制御ユニット５１４が、ロッキング解除コマンドをトリガする（航空機がゲートに駐機したなどの）状態を検出してもよい。
【０１２８】
７０８で、荷物箱アセンブリ５０２が、ロック解除されるべきならば、該方法は７１０へ進み、７１０では、マスター荷物箱制御ユニット５１４が、荷物箱アセンブリ５０２のうちの１以上を自動的にロック解除する。その後、該方法は７０２へ戻る。
【０１２９】
７０８で、荷物箱アセンブリが既にロック解除されているならば、又はロック解除される必要がないならば、該方法は７１２へ進み、７１２では、マスター荷物箱制御ユニット５１４が、航空機がゲートに駐機しているときなどに、荷物箱アセンブリ５０２が自動的に開けられるべきか否かを判定する。荷物箱アセンブリ５０２が、開けられるべきならば、該方法は７１４へ進み、７１４では、マスター荷物箱制御ユニット５１４が、荷物箱アセンブリ５０２のうちの１以上を自動的に開ける。その後、該方法は７０２へ戻る。
【０１３０】
７１２で、荷物箱アセンブリが既に開いているならば、又は開けられる必要がないならば、該方法は７１６へ進み、７１６では、マスター荷物箱制御ユニット５１４が、航空機が離陸するために滑走路へタクシングしているときなどに、荷物箱アセンブリ５０２が自動的に閉められるべきか否かを判定する。荷物箱アセンブリ５０２が、閉じられるべきならば、該方法は７１８へ進み、７１８では、マスター荷物箱制御ユニット５１４が、荷物箱アセンブリ５０２のうちの１以上を自動的に閉じる。その後、該方法は７０２へ戻る。しかし、荷物箱アセンブリ５０２が、閉じられるべきでないならば、該方法は７０２へ戻る。
【０１３１】
ステップ７０４、７０８、７１２、及び７１６は、示されているものとは異なる順序で生じ得る。例えば、マスター荷物箱制御ユニット５１４は、ステップ７０４、７０８、７１２、及び７１６を同時に解析し得る。
【０１３２】
更に、本開示は、以下の条項による実施形態を含む。
条項１
輸送体の内部客室内の荷物箱アセンブリ（５０２）であって、
前記荷物箱アセンブリ（５０２）の重量を検出するように構成された重量センサを備える、荷物箱アセンブリ（５０２）。
条項２
前記重量センサが、電子スケールを備える、条項１に記載の荷物箱アセンブリ（５０２）。
条項３
前記重量センサと通信する、荷物箱制御ユニット（５０８）を更に備える、条項１に記載の荷物箱アセンブリ（５０２）。
条項４
前記荷物箱制御ユニット（５０８）が、前記重量センサによって出力された１以上の信号をモニタするように構成されている、条項３に記載の荷物箱アセンブリ（５０２）。
条項５
前記荷物箱制御ユニット（５０８）が、前記１以上の信号をメモリ内に記憶された１以上の重量閾値と比較するように構成されている、条項４に記載の荷物箱アセンブリ（５０２）。
条項６
前記荷物箱アセンブリ（５０２）の重量が、前記重量センサによって検出された際に、最大重量閾値を超えるときに、前記荷物箱制御ユニット（５０８）が、警報を出力するように構成されている、条項３に記載の荷物箱アセンブリ（５０２）。
条項７
前記荷物箱アセンブリ（５０２）の重量が、最大重量閾値の所定範囲内にあることに応じて、前記荷物箱制御ユニット（５０８）が、前記荷物箱アセンブリ（５０２）を自動的に閉じるように構成されている、条項３に記載の荷物箱アセンブリ（５０２）。
条項８
前記荷物箱アセンブリ（５０２）が閉じた後で、前記荷物箱制御ユニット（５０８）が、前記荷物箱アセンブリ（５０２）のラッチ（３５０）をロックされた位置へ操作するように構成されている、条項７に記載の荷物箱アセンブリ（５０２）。
条項９
前方端パネルと後方端パネルに連結された前パネルを有するバケットを更に備え、荷物保持室が、少なくとも部分的に、前記前パネル、前記前方端パネル、及び前記後方端パネルの間で画定されている、条項１に記載の荷物箱アセンブリ（５０２）。
条項１０
前記前パネルが、湾曲した外面を有するアーチ形パネルを備える、条項9に記載の荷物箱アセンブリ（５０２）。
条項１１
輸送体の内部客室内で荷物箱アセンブリ（５０２）を操作する方法であって、
前記荷物箱アセンブリ（５０２）の重量センサを使用して、前記荷物箱アセンブリ（５０２）の重量を検出することを含む、方法。
条項１２
荷物箱制御ユニット（５０８）を前記重量センサと通信可能に接続することを更に含む、条項１１に記載の方法。
条項１３
前記荷物箱制御ユニット（５０８）によって、前記重量センサによって出力された１以上の信号をモニタすることを更に含む、条項１２に記載の方法。
条項１４
前記荷物箱制御ユニット（５０８）によって、前記１以上の信号をメモリ内に記憶された１以上の重量閾値と比較することを更に含む、条項１３に記載の方法。
条項１５
前記荷物箱アセンブリ（５０２）の重量が、前記重量センサによって検出された際に、最大重量閾値を超えるときに、前記荷物箱制御ユニット（５０８）によって、警報を出力することを更に含む、条項１３に記載の方法。
条項１６
前記荷物箱アセンブリ（５０２）の重量が、最大重量閾値の所定範囲内にあることに応じて、前記荷物箱制御ユニット（５０８）を使用して、前記荷物箱アセンブリ（５０２）を自動的に閉じることを更に含む、条項１３に記載の方法。
条項１７
前記荷物箱アセンブリ（５０２）が閉じた後で、前記荷物箱制御ユニット（５０８）を使用して、前記荷物箱アセンブリ（５０２）のラッチ（３５０）をロックされた位置へ操作することを更に含む、条項１６に記載の方法。
条項１８
内部客室、並びに
前記内部客室内に複数の荷物箱アセンブリ（５０２）を備える、輸送体であって、前記複数の荷物箱アセンブリ（５０２）のうちの少なくとも１つが、
前記複数の荷物箱アセンブリ（５０２）のうちの前記少なくとも１つの重量を検出するように構成された、重量センサ、及び
前記重量センサと通信する、荷物箱制御ユニット（５０８）であって、前記重量センサによって出力された１以上の信号をモニタするように構成され、前記１以上の信号をメモリ内に記憶された１以上の重量閾値と比較するように構成された、荷物箱制御ユニット（５０８）を備える、輸送体。
条項１９
前記複数の荷物箱アセンブリ（５０２）のうちの前記少なくとも１つの重量が、前記重量センサによって検出された際に、最大重量閾値を超えるときに、前記荷物箱制御ユニット（５０８）が、警報を出力するように構成されている、条項１８に記載の輸送体。
条項２０
前記複数の荷物箱アセンブリ（５０２）のうちの前記少なくとも１つが、最大重量閾値の所定範囲内にあることに応じて、前記荷物箱制御ユニット（５０８）が、前記複数の荷物箱アセンブリ（５０２）のうちの前記少なくとも１つを自動的に閉じるように構成され、前記複数の荷物箱アセンブリ（５０２）のうちの前記少なくとも１つが閉じた後で、前記荷物箱制御ユニット（５０８）が、前記複数の荷物箱アセンブリ（５０２）のうちの前記少なくとも１つのラッチ（３５０）をロックされた位置へ操作するように構成されている、条項１８に記載の輸送体。
【０１３３】
上述されたように、本開示の特定の実施形態は、個人によって接触されることなしに開けたり閉じたりすることが可能な荷物箱アセンブリを提供する。本開示の特定の実施形態は、飛行乗務員によって制御され得る荷物箱アセンブリを提供する。本開示の特定の実施形態は、離陸、着陸、及び乱気流の間などの、飛行中の限定された期間において、乗客が荷物箱アセンブリを開けることを妨げるシステム及び方法を提供する。
【０１３４】
本開示の実施形態の説明のために、上部、底部、下方、中央、横方向、水平、垂直、前方などの空間及び方向に関する様々な語が用いられる場合があるが、そのような語は図面で示す方向に対するものとして用いられているにすぎないことを理解されたい。向きを、反転させる、回転させる、又はそうでなければ、上部が下部に、また下部が上部になるように、また水平が垂直になる等のように変化させることができる。
【０１３５】
本明細書で使用する、タスク又は工程を実施する「ように構成される」構造、限定事項、又は要素は、特にタスク又は工程に対応するように、構造的に形成、構成、又は適合されている。明確さのため、及び誤解を避けるために、タスク又は工程を実施するために変更可能であるに過ぎない対象物は、本明細書で使用するタスク又は工程を実施する「ように構成」されてはいない。
【０１３６】
上記の説明は、限定ではなく、例示を意図するものであることを理解するべきである。例えば、上述の実施形態（及び／又はそれらの態様）は、互いに組み合わせて使用することができる。加えて、本開示の様々な実施形態の範囲から逸脱することなく、特定の状況又は材料に適応させるために、本開示の様々な実施形態の教示に多数の改変を加えることが可能である。本明細書に記載の材料の形状寸法及びタイプは、本開示の様々な実施形態のパラメータを規定することを意図しているが、これらの実施形態は限定的なものではなく例示的な実施形態である。本発明を精査することにより、当業者には他の多くの実施形態が明らかであろう。本開示の様々な実施形態の範囲は、添付の特許請求の範囲、並びに、かかる特許請求の範囲が認められる均等物の全範囲を参照して決定されるべきである。添付の特許請求の範囲において、「含む（including)」及び「そこにおいて（in which）」という語は、それぞれ、「備える(comprising)」及び「そこで(wherein)」という語の明白な同義語として使用される。また、「第１」「第２」及び「第３」等の語は単に符号として使用され、それらの対象物に数的要件を課すことを意図するものではない。更に、以下の特許請求の範囲の限定は、ミーンズ・プラス・ファンクション書式で記述されておらず、かかる特許請求の範囲の限定が、更なる構造のない機能の記述が後続する「のための手段（means for）」という言い回しを明示的に使用しない限り、米国特許法第１１２条（ｆ）に基づいて解釈されるべきではない。
【０１３７】
ここに記載した説明では、ベストモードを含む本開示の様々な実施形態を開示し、且つ当業者が任意のデバイス又はシステムの作成及び使用、並びに組込まれた任意の方法の実行を含め、本開示の様々な実施形態を実施することを可能にするために実施例を使用している。本開示の様々な実施形態の特許性の範囲は、特許請求の範囲によって規定され、当業者が想起する他の実施例を含み得る。かかる他の実施例は、実施例が特許請求の範囲の文言と相違しない構造要素を有する場合、又は、実施例が、特許請求の範囲の文言とごくわずかな相違しかない同等の構造要素を含む場合、特許請求の範囲内であることが意図される。
【図１】
2018188131.tif 000003
【図２Ａ】
2018188131.tif 000004
【図２Ｂ】
2018188131.tif 000005
【図３】
2018188131.tif 000006
【図４】
2018188131.tif 000007
【図５】
2018188131.tif 000008
【図６】
2018188131.tif 000009
【図７】
2018188131.tif 000010
【図８】
2018188131.tif 000011
【図９】
2018188131.tif 000012
【図１０】
2018188131.tif 000013
【図１１】
2018188131.tif 000014
【図１２】
2018188131.tif 000015
【図１３】
2018188131.tif 000016
【外国語明細書】
2018188131000001.pdf
2018188131000002.pdf
2018188131000003.pdf
2018188131000004.pdf